(57)【要約】【課題】エレベータホールにおいて、乗客が戸開時間を予め所望の時間に設定したり、ドアの戸開残り時間を確認しながら乗りかごに安全に利便性よく乗り込むことができるエレベータの戸開制御装置を提供する。【解決手段】エレベータホール１には、複数の戸開延長ボタン１９ａ，１９ｂと、戸開残り時間表示灯２１が設けられている。エレベータホール１において乗客が戸開延長ボタン１９ａ，１９ｂの一つを操作すると、乗りかご９がエレベータホール１に着床して停止したときにおけるエレベータのドア３ａ，１１ｂの戸開時間が戸開延長ボタン１９ａ，１９ｂの操作に応じる時間だけ延長され、かつその戸開の残り時間が表示灯２１に表示される。したがって、体の不自由な乗客や高齢者の乗客であっても安心して安全に利便性よく乗りかごに乗り込むことができる。【選択図】    図１
2010275102.tif 000002
【特許請求の範囲】
【請求項１】
エレベータホールに設けられ、乗りかごがそのエレベータホールに着床して停止したときにおけるエレベータのドアの戸開時間を通常時間よりも長い複数の延長時間に設定することが可能な戸開延長操作手段と、
前記戸開延長操作手段により戸開時間の延長が設定され、前記エレベータドアが戸開してからの戸開の残り時間を前記エレベータホールにおいて表示する戸開残り時間表示手段と、
を具備することを特徴とするエレベータの戸開制御装置。
【請求項２】
前記戸開延長操作手段は、複数の戸開延長ボタンを備え、その複数の戸開延長ボタンを選択的に操作することにより異なる戸開延長時間の設定が可能であることを特徴とする請求項１に記載のエレベータの戸開制御装置。
【発明の詳細な説明】
【技術分野】
【０００１】
この発明は、エレベータのドアの戸開時間を制御し、かつその戸開時間についての情報を表示することが可能なエレベータの戸開制御装置に関する。
【背景技術】
【０００２】
建屋の各階のエレベータホールにはエレベータの乗場口が設けられ、建屋の昇降路内には乗客が乗るための乗りかごが昇降可能に設けられている。各階のエレベータホールの乗場口には乗場ドアが、乗りかごの前面の出入口にはかごドアがそれぞれ設けられている。そして、乗りかごが目的階に移動して着床停止した際に、その階の乗場ドアおよびかごドアが連動して開き、これにより乗りかごに対する乗客の乗り込みが可能となる。
【０００３】
乗場ドアおよびかごドア（以下、単にドアという。）は、戸開から所定時間が経過すると制御盤による制御で自動的に閉じる。しかしながら、ドアの戸開時間はそれほど長くなく、病院や高齢者施設などのような、体が不自由であったり高齢である乗客が利用する場合の多いエレベータにおいては、乗客が完全に乗り込む前にドアが閉じかけてしまうことがある。
そこで、特開平７−２０６３３６号公報に見られるように、エレベータホールに戸開延長用の戸開延長ボタンを設け、エレベータホールにおいてその戸開延長ボタンを予め操作することより、乗りかごがそのエレベータホールに到達してドアが開いたときの戸開時間を長く保持して安全に乗りかごに乗り込むことができるようにした戸開制御装置が提案されている。
【先行技術文献】
【特許文献】
【０００４】
【特許文献１】特開平７−２０６３３６号公報
【発明の概要】
【発明が解決しようとする課題】
【０００５】
しかしながら、特開平７−２０６３３６号公報のものでは、ただ単にドアの戸開時間を延長することができるだけで、戸開時間を予め所望の時間に設定したり、ドアの戸開残り時間を確認したりすることができず、安全性、利便性の点で不十分な面がある。
【０００６】
この発明はこのような点に着目してなされたもので、その目的とするところは、エレベータホールにおいて、乗客が戸開時間を予め所望の時間に設定したり、ドアの戸開残り時間を確認しながら乗りかごに安全に利便性よく乗り込むことができるエレベータの戸開制御装置を提供することにある。
【課題を解決するための手段】
【０００７】
このような課題を解決するために、この発明は、エレベータホールに設けられ、乗りかごがそのエレベータホールに着床して停止したときにおけるエレベータのドアの戸開時間を通常時間よりも長い複数の延長時間に設定することが可能な戸開延長操作手段と、前記戸開延長操作手段により戸開時間の延長が設定され、前記エレベータドアが戸開してからの戸開の残り時間を前記エレベータホールにおいて表示する戸開残り時間表示手段とを具備することを特徴としている。
【０００８】
そして、例えば前記戸開延長操作手段は、複数の戸開延長ボタンを備え、その複数の戸開延長ボタンを選択的に操作することにより異なる戸開延長時間の設定が可能な構成となっている。
【発明の効果】
【０００９】
この発明によれば、エレベータホールにおいて、乗客が戸開時間を予め所望の時間に設定したり、ドアの戸開残り時間を確認しながら乗りかごに安全に利便性よく乗り込むことができる。
【図面の簡単な説明】
【００１０】
【図１】この発明の一実施形態に係るエレベータの全体の構成を示す構成図。
【図２】そのエレベータのエレベータホールに設けられたかご呼び用の操作パネルとドア用の操作パネルとを示す正面図。
【図３】そのエレベータの制御回路の構成を示すブロック図。
【発明を実施するための形態】
【００１１】
以下、この発明の実施の形態について図面を参照して説明する。
【００１２】
図1に示すように、建屋のエレベータホール１の壁面１ａにはエレベータ乗降口２が設けられ、この乗降口２にその開閉用の乗場ドア３が設けられている。この乗場ドア３は、例えば一対のドアパネル３ａが左右に移動して乗降口２を開閉する両開き式構造となっている。
【００１３】
エレベータホール１における壁面１ａの裏面側は、建屋の各階に延びる昇降路５となっており、この昇降路５の上部の機械室６に駆動手段としての巻上機７が設置され、この巻上機７にメインロープ８が巻き掛けられ、このメインロープ８の端部に昇降路５内において乗りかご９と釣合い重り１０が取り付けられ、巻上機７による駆動で乗りかご９が上下に昇降移動する。
【００１４】
乗りかご９は、前面に出入口９ａを有し、この出入口９ａにその開閉用のかごドア１１が設けられている。かごドア１１は、例えば一対のドアパネル１１ａが左右に移動して出入口９ａを開閉する両開き式構造となっている。
【００１５】
昇降路５の上部には制御手段としての制御盤１２が設けられ、この制御盤１２により巻上機７の動作が制御され、この制御で乗りかご９が昇降移動してエレベータの運行が管理され、またこの制御盤１２により乗りかご９のかごドア１１の開閉動作が制御される。
【００１６】
エレベータホール１の壁面１ａには、乗降口２に隣接してかご呼び用の操作パネル１４と、ドア用の操作パネル１５とが設けられている。図２にはこれら操作パネル１４,１５の拡大正面図を示してある。これら操作パネル１４,１５は制御盤１２に導通しており、かご呼び用の操作パネル１４にはかご呼びボタン１７およびかご位置表示灯１８が設けられている。
ドア用の操作パネル１５には、戸開時間を延長するための戸開延長操作手段を構成する複数の例えば第１および第２の戸開延長ボタン１９ａ,１９ｂと、その解除用の解除ボタン２０が設けられ、さらに戸開の残り時間を表示する表示灯２１が設けられている。第１の戸開延長ボタン１９ａは戸開時間を例えば１０秒間延長するボタンで、第２の戸開延長ボタン１９ｂは戸開時間を例えば２０秒間延長するボタンとなっている。ドア用の操作パネル１５は、子供などによるいたずらの操作を防止するために、かご呼び用の操作パネル１４より上方の比較的高い位置に設けられている。
【００１７】
図３にはこのエレベータの制御回路の構成を示してある。かご呼びボタン１７、戸開延長ボタン１９ａ,１９ｂ、解除ボタン２０の信号はマイクロコンピュータを備える制御盤１２に入力される。制御盤１２は、その入力された信号に基づいて巻上機７、かごドア１１、かご位置表示灯１８、戸開残り時間表示灯２１に所定の信号を出力する。
【００１８】
次に、作用について述べる。
【００１９】
エレベータホール１において乗客がかご呼びボタン１７を操作すると、その信号が制御盤１２に送られ、これに基づき乗りかご９がそのエレベータホール１に向って移動する。乗りかご９の位置はエレベータホール１のかご位置表示灯１８に逐次表示される。
【００２０】
乗りかご９が目的階のエレベータホール１に到達して着床停止すると、かごドア１１が制御盤１２による制御で開く。この際、かごドア１１は乗場ドア３と係合し、この係合でかごドア１１と連動して乗場ドア３が開く。これによりエレベータホール１から乗りかご９への乗り込みが可能となる。通常時には、かごドア１１および乗場ドア３が所定時間経過後に制御盤１２による制御で閉じ、乗りかご９が次の目的階に向って移動する。
【００２１】
一方、体の不自由な乗客や高齢者の乗客がエレベータを利用するときには、エレベータホール１においてかご呼びボタン１７を操作し、さらに戸開延長ボタン１９ａ,１９ｂのいずれか、例えば第１の戸開延長ボタン１９ａを操作する。この操作の信号は制御盤１２に送られ、戸開の時間が通常時間よりも１０秒間延びる値に設定され、その設定が制御盤１２に記憶される。そして、乗りかご９がエレベータホール１に到達して着床し、かごドア１１および乗場ドア３が開いたときに、その設定の記憶に基づいてかごドア１１および乗場ドア３の戸開時間が通常時間よりも１０秒間長い時間に保持される。
さらに、制御盤１２による制御で、エレベータホール１の戸開残り時間表示灯２１に、かごドア１１および乗場ドア３の戸開時から戸閉動作が開始するまでの戸開残り時間がカウントダウン方式で表示される。
【００２２】
なお、操作パネル１５の第２の戸開延長ボタン１９ｂが操作されたときには、戸開時間が通常時間よりも２０秒間延びる値に設定され、その設定が制御盤１２に記憶される。そして、乗りかご９がエレベータホール１に到達して着床し、かごドア１１および乗場ドア３が開いたときに、その設定の記憶に基づいてかごドア１１および乗場ドア３の戸開時間が通常時間よりも２０秒間長い時間に保持される。そして、エレベータホール１の戸開残り時間表示灯２１に、かごドア１１および乗場ドア３の戸開時から戸閉動作が開始するまでの戸開残り時間がカウントダウン方式で表示される。
【００２３】
このように、操作パネル１５の第１あるいは第２の戸開延長ボタン１９ａ,１９ｂを操作することにより、戸開時間が通常よりも長い時間に延長され、かつその戸開の残り時間が表示灯２１に表示されるから、体の不自由な乗客や高齢者の乗客が戸閉時間に気遣ったり焦ったりすることなく、安心して安全にかつ利便性よく乗りかご９に乗り込むことができる。
また、操作パネル１５には戸開の延長時間が異なる複数の戸開延長ボタン１９ａ,１９ｂが設けられているから、その複数の戸開延長ボタン１９ａ,１９ｂのうちの一つを選択して操作することにより、戸開延長時間を乗客の身体状況などに応じて所望の時間に設定でき、このためより一層安全性、利便性が向上する。
【００２４】
なお、操作パネル１５の戸開延長ボタン１９ａ,１９ｂを操作した後に、解除ボタン２０を操作すると、その戸開延長ボタン１９ａ,１９ｂの操作による戸開延長の設定がキャンセルされ、戸開の時間が通常時間となる。
また、この発明は、荷物用のエレベータに適用することも可能であり、荷物の積み下ろしに時間がかかるようなときに、戸開延長ボタン１９ａ,１９ｂを操作することにより、ドア閉を気にすることなく、効率よく荷物の積み下ろしを行なうことができる。
【符号の説明】
【００２５】
１…エレベータホール
２…エレベータ乗降口
３…乗場ドア
５…昇降路
６…機械室
７…巻上機
９…乗りかご
１０…出入口
１１…かごドア
１２…制御盤
１４…かご呼び用の操作パネル
１５…ドア用の操作パネル
１７…かご呼びボタン
１８…かご位置表示灯
１９ａ.１９ｂ…戸開延長ボタン
２０…解除ボタン
２１…戸開残り時間表示灯
【図１】
2010275102.tif 000003
【図２】
2010275102.tif 000004
【図３】
2010275102.tif 000005